(57)【要約】【課題】  狭いスペースでも負荷試験を行うことが可能な負荷試験装置を提供する。【解決手段】  負荷試験装置１は、水平方向に風を排出する第１冷却ファン５３ｃを含む第１冷却部５０ａと、第１冷却ファン５３ｃと対向し水平方向に開口する吸気口と水平方向に開口する排気口と負荷試験時に試験対象電源からの電力が供給される抵抗器Ｒを有する第１抵抗ユニット３０ａとを有する第１負荷試験部１ａを備える。水平方向に風を排出する第２冷却ファン５３ｂを含む第２冷却部５０ｂと、第２冷却ファン５３ｂと対向し水平方向に開口する吸気口と水平方向に開口する排気口と負荷試験時に試験対象電源からの電力が供給される抵抗器を有する第２抵抗ユニット３０ｂとを有する第２負荷試験部１ｂを備える。第１負荷試験部１ａと第２負荷試験部１ｂは、上下方向に積み重ねられる。【選択図】図２
2018054636.tif 000002
【特許請求の範囲】
【請求項１】
水平方向に風を排出する第１冷却ファンを含む第１冷却部と、前記第１冷却ファンと対向し水平方向に開口する吸気口と水平方向に開口する排気口と負荷試験時に試験対象電源からの電力が供給される抵抗器を有する第１抵抗ユニットとを有する第１負荷試験部と、
水平方向に風を排出する第２冷却ファンを含む第２冷却部と、前記第２冷却ファンと対向し水平方向に開口する吸気口と水平方向に開口する排気口と前記負荷試験時に前記試験対象電源からの電力が供給される抵抗器を有する第２抵抗ユニットとを有する第２負荷試験部とを備え、
前記第１負荷試験部と前記第２負荷試験部は、上下方向に配置され、
絶縁性を高めるために、前記第１抵抗ユニットの抵抗器の端子が前記第１抵抗ユニットの筐体から飛び出ないような状態で、前記第１抵抗ユニットの抵抗器が保持され、
前記第１抵抗ユニットの抵抗器を保持する保持部は、碍子を介して、前記第１抵抗ユニットの筐体に取り付けられることを特徴とする負荷試験装置。
【請求項２】
水平方向に風を排出する第３冷却ファンを含む第３冷却部と、前記第３冷却ファンと対向し水平方向に開口する吸気口と水平方向に開口する排気口と前記負荷試験時に前記試験対象電源からの電力が供給される抵抗器を有する第３抵抗ユニットとを有する第３負荷試験部を更に備え、
前記第１負荷試験部と前記第２負荷試験部と前記第３負荷試験部は、上下方向に配置されるものであり、
前記試験対象電源は、三相交流発電機であり、
前記第１抵抗ユニットは、前記三相交流発電機のＴ相の負荷試験を行うために使用され、
前記第２抵抗ユニットは、前記三相交流発電機のＳ相の負荷試験を行うために使用され、
前記第３抵抗ユニットは、前記三相交流発電機のＲ相の負荷試験を行うために使用されることを特徴とする請求項１に記載の負荷試験装置。
【請求項３】
前記第１負荷試験部と前記第２負荷試験部と前記第３負荷試験部は、別体構造であり、
前記第１負荷試験部と前記第２負荷試験部と前記第３負荷試験部のうち、下段に配置されるものの筐体の上部には第１フランジが設けられ、
前記第１負荷試験部と前記第２負荷試験部と前記第３負荷試験部のうち、中段に配置されるものの筐体の下部には第２フランジが上部には第３フランジが設けられ、
前記第１負荷試験部と前記第２負荷試験部と前記第３負荷試験部のうち、上段に配置されるものの筐体の下部には第４フランジが設けられ、
前記第１フランジと前記第２フランジとが固定され、前記第３フランジと前記第４フランジが固定されることにより、前記第１負荷試験部と前記第２負荷試験部と前記第３負荷試験部が固定され、
前記第１冷却部と、前記第２冷却部と、前記第３冷却部と、前記第１抵抗ユニットと、前記第２抵抗ユニットと、前記第３抵抗ユニットとの下部には、キャスターが設けられ、
前記第１冷却部と前記第２冷却部と前記第３冷却部のうち、下段に配置されるものの筐体の上部には、中段に配置されるものの前記キャスターを収納する凹みが設けられ、
前記第１抵抗ユニットと前記第２抵抗ユニットと前記第３抵抗ユニットのうち、下段に配置されるものの筐体の上部には、中段に配置されるものの前記キャスターを収納する凹みが設けられ、
前記第１冷却部と前記第２冷却部と前記第３冷却部のうち、中段に配置されるものの筐体の上部には、上段に配置されるものの前記キャスターを収納する凹みが設けられ、
前記第１抵抗ユニットと前記第２抵抗ユニットと前記第３抵抗ユニットのうち、中段に配置されるものの筐体の上部には、状態に配置されるものの前記キャスターを収納する凹みが設けられることを特徴とする請求項２に記載の負荷試験装置。
【請求項４】
水平方向に風を排出する第１冷却ファンを含む第１冷却部と、前記第１冷却ファンと対向し水平方向に開口する吸気口と水平方向に開口する排気口と負荷試験時に試験対象電源からの電力が供給される抵抗器を有する第１抵抗ユニットとを有する第１負荷試験部と、
水平方向に風を排出する第２冷却ファンを含む第２冷却部と、前記第２冷却ファンと対向し水平方向に開口する吸気口と水平方向に開口する排気口と前記負荷試験時に前記試験対象電源からの電力が供給される抵抗器を有する第２抵抗ユニットとを有する第２負荷試験部と、
水平方向に風を排出する第３冷却ファンを含む第３冷却部と、前記第３冷却ファンと対向し水平方向に開口する吸気口と水平方向に開口する排気口と前記負荷試験時に前記試験対象電源からの電力が供給される抵抗器を有する第３抵抗ユニットとを有する第３負荷試験部を備え、
前記第１負荷試験部と前記第２負荷試験部と前記第３負荷試験部は、上下方向に積み重ねられるものであり、
前記試験対象電源は、三相交流発電機であり、
前記第１抵抗ユニットは、前記三相交流発電機のＴ相の負荷試験を行うために使用され、
前記第２抵抗ユニットは、前記三相交流発電機のＳ相の負荷試験を行うために使用され、
前記第３抵抗ユニットは、前記三相交流発電機のＲ相の負荷試験を行うために使用され、
前記第１冷却部と前記第２冷却部と前記第３冷却部のうち、下段に配置されるものは、前記試験対象電源のＲ相と接続するＵ相端子と、前記試験対象電源のＳ相と接続するＶ相端子と、前記試験対象電源のＴ相と接続するＷ相端子と、前記負荷試験における負荷量を調整する操作部と、制御線を介して前記第１抵抗ユニット〜前記第３抵抗ユニットのスイッチング装置と接続される制御端子部と、前記試験対象電源から前記第１抵抗ユニット〜前記第３抵抗ユニットへの電力供給を制御する電力供給制御部を有し、
前記第１冷却部と前記第２冷却部と前記第３冷却部のうち、下段に配置されるものの筐体は、直方体形状を有し、
前記操作部は前記制御端子部と接続され、前記制御端子部を介して、前記操作部におけるスイッチのオンオフ状態に応じて、前記第１抵抗ユニット〜前記第３抵抗ユニットのスイッチング装置のオンオフ制御が行われることを特徴とする負荷試験装置。
【請求項５】
水平方向に風を排出する第１冷却ファンを含む第１冷却部と、前記第１冷却ファンと対向し水平方向に開口する吸気口と水平方向に開口する排気口と負荷試験時に試験対象電源からの電力が供給される抵抗器を有する第１抵抗ユニットとを有する第１負荷試験部と、
水平方向に風を排出する第２冷却ファンを含む第２冷却部と、前記第２冷却ファンと対向し水平方向に開口する吸気口と水平方向に開口する排気口と前記負荷試験時に前記試験対象電源からの電力が供給される抵抗器を有する第２抵抗ユニットとを有する第２負荷試験部と、
水平方向に風を排出する第３冷却ファンを含む第３冷却部と、前記第３冷却ファンと対向し水平方向に開口する吸気口と水平方向に開口する排気口と前記負荷試験時に前記試験対象電源からの電力が供給される抵抗器を有する第３抵抗ユニットとを有する第３負荷試験部を備え、
前記第１負荷試験部と前記第２負荷試験部と前記第３負荷試験部は、上下方向に積み重ねられるものであり、
前記試験対象電源は、三相交流発電機であり、
前記第１抵抗ユニットは、前記三相交流発電機のＴ相の負荷試験を行うために使用され、
前記第２抵抗ユニットは、前記三相交流発電機のＳ相の負荷試験を行うために使用され、
前記第３抵抗ユニットは、前記三相交流発電機のＲ相の負荷試験を行うために使用され、
前記第１冷却部と、前記第２冷却部と、前記第３冷却部と、前記第１抵抗ユニットと、前記第２抵抗ユニットと、前記第３抵抗ユニットと、前記第１排気部と、前記第３排気部は別体で構成され、
前記第１冷却部と、前記第１抵抗ユニットと、前記第１排気部は、水平方向に並べられ、着脱可能な状態で固定されるものであり、
前記第２冷却部と、前記第２抵抗ユニットと、前記第２排気部は、水平方向に並べられ、着脱可能な状態で固定されるものであり、
前記第３冷却部と、前記第３抵抗ユニットと、前記第３排気部は、水平方向に並べられ、着脱可能な状態で固定されるものであり、
前記第１冷却部と、前記第２冷却部と、前記第３冷却部と、前記第１抵抗ユニットと、前記第２抵抗ユニットと、前記第３抵抗ユニットと、前記第１排気部における前記第１抵抗ユニットからの熱気を水平方向に誘導する第１領域と、前記第２排気部における前記第２抵抗ユニットからの熱気を水平方向に誘導する第２領域と、前記第３排気部における前記第３抵抗ユニットからの熱気を水平方向に誘導する第３領域の下部には、キャスターが設けられ、
前記第１排気部における前記第１抵抗ユニットからの熱気を上方向に誘導する領域と、前記第２排気部における前記第２抵抗ユニットからの熱気を上方向に誘導する領域と、前記第３排気部における前記第３抵抗ユニットからの熱気を情報に誘導する領域の下部には、キャスターが設けられず、
前記第１冷却部と前記第２冷却部と前記第３冷却部のうち、下段に配置されるものの筐体の上部には、中段に配置されるものの前記キャスターを収納する凹みが設けられ、
前記第１抵抗ユニットと前記第２抵抗ユニットと前記第３抵抗ユニットのうち、下段に配置されるものの筐体の上部には、中段に配置されるものの前記キャスターを収納する凹みが設けられ、
前記第１領域と前記第２領域と前記第３領域のうち、下段に配置されるものの筐体の上部には、中段に配置されるものの前記キャスターを収納する凹みが設けられ、
前記第１冷却部と前記第２冷却部と前記第３冷却部のうち、中段に配置されるものの筐体の上部には、上段に配置されるものの前記キャスターを収納する凹みが設けられ、
前記第１抵抗ユニットと前記第２抵抗ユニットと前記第３抵抗ユニットのうち、中段に配置されるものの筐体の上部には、上段に配置されるものの前記キャスターを収納する凹みが設けられ、
前記第１領域と前記第２領域と前記第３領域のうち、中段に配置されるものの筐体の上部には、上段に配置されるものの前記キャスターを収納する凹みが設けられることを特徴とする負荷試験装置。
【請求項６】
前記第１負荷試験部は、水平方向に開口する吸気口と、鉛直方向の開口する排気口とを有し、前記第１抵抗ユニットからの熱気を上方に排気し、エルボ型のダクトを構成する第１排気部を有し、
前記第２負荷試験部は、水平方向に開口する吸気口と、鉛直方向に開口する排気口とを有し、前記第２抵抗ユニットからの熱気を上方に排気し、エルボ型のダクトを構成する第２排気部を有し、
前記第３負荷試験部は、水平方向に開口する吸気口と、鉛直方向に開口する排気口とを有し、前記第３抵抗ユニットからの熱気を上方に排気し、エルボ型のダクトを構成する第３排気部を有することを特徴とする請求項２に記載の負荷試験装置。
【請求項７】
前記第１排気部〜前記第３排気部のうち、上段の排気部には、下段の排気部からの熱気を上方に誘導する誘導路が設けられることを特徴とする請求項６に記載の負荷試験装置。
【請求項８】
前記第１負荷試験部は、水平方向に開口する吸気口と、鉛直方向に開口する排気口とを有し、前記第１抵抗ユニットからの熱気を上方に排気する第１排気部を有し、
前記第２負荷試験部は、水平方向に開口する吸気口と、鉛直方向に開口する排気口とを有し、前記第２抵抗ユニットからの熱気を上方に排気する第２排気部を有し、
前記第３負荷試験部は、水平方向に開口する吸気口と、鉛直方向に開口する排気口とを有し、前記第３抵抗ユニットからの熱気を上方に排気する第３排気部を有し、
前記第１排気部と前記第２排気部と前記第３排気部のうち、上段に配置されるものの下部は、中段に配置されるものの排気口と対向する位置が開口し、
前記第１排気部と前記第２排気部と前記第３排気部のうち、中段に配置されるものの下部は、下段に配置されるものの排気口と対応する位置が開口することを特徴とする請求項２に記載の負荷試験装置。
【請求項９】
水平方向に風を排出する第１冷却ファンを含む第１冷却部と、前記第１冷却ファンと対向し水平方向に開口する吸気口と水平方向に開口する排気口と負荷試験時に試験対象電源からの電力が供給される抵抗器を有する第１抵抗ユニットとを有する第１負荷試験部と、
水平方向に風を排出する第２冷却ファンを含む第２冷却部と、前記第２冷却ファンと対向し水平方向に開口する吸気口と水平方向に開口する排気口と前記負荷試験時に前記試験対象電源からの電力が供給される抵抗器を有する第２抵抗ユニットとを有する第２負荷試験部とを備え、
前記第１負荷試験部と前記第２負荷試験部は、上下方向に積み重ねられ、
前記第１抵抗ユニットにおける筐体の内側には、絶縁性を高めるために、前記第１抵抗ユニットの抵抗器の端子を前記第１抵抗ユニットの筐体が覆う位置関係で、前記第１抵抗ユニットの抵抗器を保持する第１抵抗保持部が設けられ、
前記第１抵抗保持部は、碍子を介して、前記第１抵抗ユニットの筐体に取り付けられ、
前記第２抵抗ユニットにおける筐体の内側には、絶縁性を高めるために、前記第２抵抗ユニットの抵抗器の端子を前記第２抵抗ユニットの筐体が覆う位置関係で、前記第２抵抗ユニットの抵抗器を保持する第２抵抗保持部が設けられ、
前記第２抵抗保持部は、碍子を介して、前記第２抵抗ユニットの筐体に取り付けられ、
前記第１冷却部と、前記第２冷却部と、前記第１抵抗ユニットと、前記第２抵抗ユニットと、前記第１排気部と、前記第２排気部は別体で構成され、
前記第１冷却部と、前記第１抵抗ユニットと、前記第１排気部は、水平方向に並べられ、着脱可能な状態で固定されるものであり、
前記第２冷却部と、前記第２抵抗ユニットと、前記第２排気部は、水平方向に並べられ、着脱可能な状態で固定されるものであり、
前記第１抵抗保持部は、水平方向に開口する中空四角柱形状の枠で構成され、
前記第２抵抗保持部は、水平方向に開口する中空四角柱形状の枠で構成され、
前記第１冷却ファンからの冷却風を前記第１抵抗ユニットの抵抗器に誘導する第１フードが、前記第２冷却ファンと前記第１抵抗ユニットの間に設けられ、
前記第２冷却ファンからの冷却風を前記第２抵抗ユニットの抵抗器に誘導する第２フードが、前記第２冷却ファンと前記第２抵抗ユニットの間に設けられ、
前記第１フードの先端は、前記第１抵抗保持部を形成する枠の内側に配置され、
前記第２フードの先端は、前記第２抵抗保持部を形成する枠の内側に配置されることを特徴とする負荷試験装置。
【請求項１０】
水平方向に風を排出する第３冷却ファンを含む第３冷却部と、前記第３冷却ファンと対向し水平方向に開口する吸気口と水平方向に開口する排気口と前記負荷試験時に前記試験対象電源からの電力が供給される抵抗器を有する第３抵抗ユニットとを有する第３負荷試験部を更に備え、
前記第２負荷試験部は、前記第１負荷試験部の上に積み重ねられ、
前記第３負荷試験部は、前記第２負荷試験部の上に積み重ねられ、
前記第１負荷試験部は、水平方向に開口する吸気口と、鉛直方向の開口する排気口とを有し、前記第１抵抗ユニットからの熱気を上方に排気する第１排気部を有し、
前記第２負荷試験部は、水平方向に開口する吸気口と、鉛直方向に開口する排気口とを有し、前記第２抵抗ユニットからの熱気を上方に排気する第２排気部を有し、
前記第３負荷試験部は、水平方向に開口する吸気口と、鉛直方向に開口する排気口とを有し、前記第３抵抗ユニットからの熱気を上方に排気する第３排気部を有することを特徴とする請求項１に記載の負荷試験装置。
【請求項１１】
前記第１負荷試験部は、水平方向に開口する吸気口と、鉛直方向の開口する排気口とを有し、前記第１抵抗ユニットからの熱気を上方に排気する第１排気部を有し、
前記第２負荷試験部は、水平方向に開口する吸気口と、鉛直方向に開口する排気口とを有し、前記第２抵抗ユニットからの熱気を上方に排気する第２排気部を有し、
前記第２負荷試験部は、前記第１負荷試験部の上に積み重ねられ、
前記第２排気部は、前記第１排気部の上に載置されることを特徴とする請求項１に記載の負荷試験装置。
【請求項１２】
絶縁性を高めるために、前記第２抵抗ユニットの抵抗器の端子が前記第２抵抗ユニットの筐体から飛び出ないような状態で、前記第２抵抗ユニットの抵抗器が保持されることを特徴とする請求項１に記載の負荷試験装置。
【発明の詳細な説明】
【技術分野】
【０００１】
本発明は、負荷試験装置に関する。
【背景技術】
【０００２】
従来、特許文献１のように、発電機の負荷試験を行う負荷試験装置であって、複数の冷却ファンと複数の抵抗ユニットで構成されるものが提案されている。
【先行技術文献】
【特許文献】
【０００３】
【特許文献１】特開平０９−１５３０７号公報
【発明の概要】
【発明が解決しようとする課題】
【０００４】
しかしながら、冷却ファンの上に抵抗ユニットを配置した負荷試験部が複数水平方向に配置されるため、水平方向のスペースを負荷試験部の数に応じて確保する必要がある。
【０００５】
したがって本発明の目的は、狭いスペースでも負荷試験を行うことが可能な負荷試験装置を提供することである。
【課題を解決するための手段】
【０００６】
本発明に係る負荷試験装置は、水平方向に風を排出する第１冷却ファンを含む第１冷却部と、第１冷却ファンと対向し水平方向に開口する吸気口と水平方向に開口する排気口と負荷試験時に試験対象電源からの電力が供給される抵抗器を有する第１抵抗ユニットとを有する第１負荷試験部と、水平方向に風を排出する第２冷却ファンを含む第２冷却部と、第２冷却ファンと対向し水平方向に開口する吸気口と水平方向に開口する排気口と負荷試験時に試験対象電源からの電力が供給される抵抗器を有する第２抵抗ユニットとを有する第２負荷試験部とを備え、第１負荷試験部と第２負荷試験部は、上下方向に積み重ねられる。
【０００７】
第１負荷試験部と第２負荷試験部を積み重ねするため、第１負荷試験部と第２負荷試験部を横方向に並べた形態に比べて、負荷試験装置の設置の自由度を高めることが可能になる。
【０００８】
特に、建物の屋上など、設置スペースが限られる場合でも、積み重ねすることにより、大容量の負荷試験装置を設置し、負荷試験を行うことが可能になる。
【０００９】
好ましくは、水平方向に風を排出する第３冷却ファンを含む第３冷却部と、第３冷却ファンと対向し水平方向に開口する吸気口と水平方向に開口する排気口と負荷試験時に試験対象電源からの電力が供給される抵抗器を有する第３抵抗ユニットとを有する第３負荷試験部を更に備え、第１負荷試験部と第２負荷試験部と第３負荷試験部は、上下方向に積み重ねられるものであり、試験対象電源は、三相交流発電機であり、第１抵抗ユニットは、三相交流発電機のＴ相の負荷試験を行うために使用され、第２抵抗ユニットは、三相交流発電機のＳ相の負荷試験を行うために使用され、第３抵抗ユニットは、三相交流発電機のＲ相の負荷試験を行うために使用される。
【００１０】
下段の負荷試験部の上に、中段の負荷試験部を積み重ね、さらに中段の負荷試験部の上に、上段の負荷試験部を積み重ねするため、第１負荷試験部〜第３負荷試験部を横方向に並べた形態に比べて、負荷試験装置の設置の自由度を高めることが可能になる。
【００１１】
また、第１負荷試験部〜第３負荷試験部は、それぞれの抵抗ユニット（第１抵抗ユニット〜第３抵抗ユニット）を冷却するための冷却ファン（第１冷却ファン〜第３冷却ファン）を有するため、１つの冷却ファンの上方に３つの抵抗ユニットを配置し、当該１つの冷却ファンで当該３つの抵抗ユニットを冷却する形態に比べて、小型で汎用性が高い冷却ファンを用いることが可能になるし、同じ冷却条件で、Ｒ相、Ｓ相、Ｔ相の負荷試験を行うことが可能になる。
【００１２】
さらに好ましくは、第１負荷試験部と第２負荷試験部と第３負荷試験部は、別体構造であり、第１負荷試験部と第２負荷試験部と第３負荷試験部のうち、下段に配置されるものの筐体の上部には第１フランジが設けられ、第１負荷試験部と第２負荷試験部と第３負荷試験部のうち、中段に配置されるものの筐体の下部には第２フランジが上部には第３フランジが設けられ、第１負荷試験部と第２負荷試験部と第３負荷試験部のうち、上段に配置されるものの筐体の下部には第４フランジが設けられ、第１フランジと第２フランジとが固定され、第３フランジと第４フランジが固定されることにより、第１負荷試験部と第２負荷試験部と第３負荷試験部が固定される。
【００１３】
フランジを使って上下の筐体の固定を行うため、簡単且つ確実に積み重ねした負荷試験部同士を固定することが可能になる。
【００１４】
また、好ましくは、第１負荷試験部と第２負荷試験部と第３負荷試験部のうち、下段に配置されるものは、試験対象電源のＲ相と接続するＵ相端子と、試験対象電源のＳ相と接続するＶ相端子と、試験対象電源のＴ相と接続するＷ相端子と、負荷試験における負荷量を調整する操作部とを有する。
【００１５】
それぞれの負荷試験部に操作部などが配置される形態に比べて操作や配線が容易に出来るし、負荷試験を行う作業者の手に届く高さの位置に操作部や電源端子部（Ｕ相端子など）を設けることが可能になるし、下段の負荷試験部を中段や上段の負荷試験部よりも重くして重心を低くすることが可能になる。
【００１６】
また、好ましくは、第１冷却部と、第２冷却部と、第３冷却部と、第１抵抗ユニットと、第２抵抗ユニットと、第３抵抗ユニットとの下部には、キャスターが設けられ、第１冷却部と第２冷却部と第３冷却部のうち、下段に配置されるものの筐体の上部には、中段に配置されるもののキャスターを収納する凹みが設けられ、第１抵抗ユニットと第２抵抗ユニットと第３抵抗ユニットのうち、下段に配置されるものの筐体の上部には、中段に配置されるもののキャスターを収納する凹みが設けられ、第１冷却部と第２冷却部と第３冷却部のうち、中段に配置されるものの筐体の上部には、上段に配置されるもののキャスターを収納する凹みが設けられ、第１抵抗ユニットと第２抵抗ユニットと第３抵抗ユニットのうち、中段に配置されるものの筐体の上部には、上段に配置されるもののキャスターを収納する凹みが設けられる。
【００１７】
それぞれの筐体にキャスターを設けることにより、持ち運びを容易にすることが出来る。また、凹みにキャスターを収納出来るので、積み重ね時の上下の筐体の固定の妨げにならない。
【００１８】
また、好ましくは、第１負荷試験部は、水平方向に開口する吸気口と、鉛直方向の開口する排気口とを有し、第１抵抗ユニットからの熱気を上方に排気し、エルボ型のダクトを構成する第１排気部を有し、第２負荷試験部は、水平方向に開口する吸気口と、鉛直方向に開口する排気口とを有し、第２抵抗ユニットからの熱気を上方に排気し、エルボ型のダクトを構成する第２排気部を有し、第３負荷試験部は、水平方向に開口する吸気口と、鉛直方向に開口する排気口とを有し、第３抵抗ユニットからの熱気を上方に排気し、エルボ型のダクトを構成する第３排気部を有する。
【００１９】
さらに好ましくは、第１排気部〜第３排気部のうち、上段の排気部には、下段の排気部からの熱気を上方に誘導する誘導路が設けられる。
【００２０】
また、好ましくは、第１負荷試験部は、水平方向に開口する吸気口と、鉛直方向に開口する排気口とを有し、第１抵抗ユニットからの熱気を上方に排気する第１排気部を有し、第２負荷試験部は、水平方向に開口する吸気口と、鉛直方向に開口する排気口とを有し、第２抵抗ユニットからの熱気を上方に排気する第２排気部を有し、第３負荷試験部は、水平方向に開口する吸気口と、鉛直方向に開口する排気口とを有し、第３抵抗ユニットからの熱気を上方に排気する第３排気部を有し、第１排気部と第２排気部と第３排気部のうち、上段に配置されるものの下部は、中段に配置されるものの排気口と対向する位置が開口し、第１排気部と第２排気部と第３排気部のうち、中段に配置されるものの下部は、下段に配置されるものの排気口と対応する位置が開口する。
【００２１】
上方向に積み重ねた第１排気部〜第３排気部により、第１抵抗ユニット〜第３抵抗ユニットから水平方向に排出される熱気を上方向に排出することが出来るため、熱気が負荷試験装置の周囲の者に直接当たる危険性を少なくすることが可能になる。
【００２２】
また、好ましくは、水平方向に風を排出する第３冷却ファンを含む第３冷却部と、第３冷却ファンと対向し水平方向に開口する吸気口と水平方向に開口する排気口と負荷試験時に試験対象電源からの電力が供給される抵抗器を有する第３抵抗ユニットとを有する第３負荷試験部を更に備え、第２負荷試験部は、第１負荷試験部の上に積み重ねられ、第３負荷試験部は、第２負荷試験部の上に積み重ねられ、第１負荷試験部は、水平方向に開口する吸気口と、鉛直方向の開口する排気口とを有し、第１抵抗ユニットからの熱気を上方に排気する第１排気部を有し、第２負荷試験部は、水平方向に開口する吸気口と、鉛直方向に開口する排気口とを有し、第２抵抗ユニットからの熱気を上方に排気する第２排気部を有し、第３負荷試験部は、水平方向に開口する吸気口と、鉛直方向に開口する排気口とを有し、第３抵抗ユニットからの熱気を上方に排気する第３排気部を有する。
【００２３】
また、好ましくは、第１負荷試験部は、水平方向に開口する吸気口と、鉛直方向の開口する排気口とを有し、第１抵抗ユニットからの熱気を上方に排気する第１排気部を有し、第２負荷試験部は、水平方向に開口する吸気口と、鉛直方向に開口する排気口とを有し、第２抵抗ユニットからの熱気を上方に排気する第２排気部を有し、第２負荷試験部は、第１負荷試験部の上に積み重ねられ、第２排気部は、第１排気部の上に載置される。
【発明の効果】
【００２４】
以上のように本発明によれば、狭いスペースでも負荷試験を行うことが可能な負荷試験装置を提供することができる。
【図面の簡単な説明】
【００２５】
【図１】本実施形態における負荷試験装置で、各部を組み立てる前の状態を示す斜視図である。
【図２】本実施形態における負荷試験装置の構成を示す模式図である。
【図３】本実施形態における負荷試験装置であって、抵抗器群やスイッチング装置の配線を示す図である。
【図４】本実施形態における負荷試験装置であって、第１抵抗ユニットと第２抵抗ユニット、第１冷却部と第２冷却部、第１排気部と第２排気部が取り付けられた状態を示す斜視図である。
【図５】本実施形態における負荷試験装置であって、第１抵抗ユニット〜第３抵抗ユニット、第１冷却部〜第３冷却部、第１排気部〜第３排気部が取り付けられた状態を示す斜視図である。
【図６】本実施形態における負荷試験装置であって、組み立て完了後の斜視図である。
【図７】本実施形態における負荷試験装置であって、第１負荷試験部〜第３負荷試験部の下部にキャスターが設けられ、第１負荷試験部と第２負荷試験部の上部に凹みが設けられたもので、各部を組み立てる前の状態を示す斜視図である。
【図８】エルボ型のダクトを構成する第１排気部〜第３排気部と、第１フード〜第３フード、第１抵抗保持部〜第３抵抗保持部、第１碍子〜第３碍子が設けられた場合における、各部を組み立てる前の状態を示す斜視図である。
【図９】エルボ型のダクトを構成する第１排気部〜第３排気部と、第１フード〜第３フード、第１抵抗保持部〜第３抵抗保持部、第１碍子〜第３碍子が設けられた場合における、各部を組み立てた後の状態を示す斜視図である。
【図１０】第１誘導路〜第３誘導路が設けられた第１排気部〜第３排気部について、組み立てる前の状態を示す斜視図である。
【図１１】第１誘導路〜第３誘導路が設けられた第１排気部〜第３排気部などを組み立てた後の状態を示す斜視図である。
【発明を実施するための形態】
【００２６】
以下、本実施形態について、図を用いて説明する。本実施形態における乾式の負荷試験装置１は、第１負荷試験部１ａ、第２負荷試験部１ｂ、第３負荷試験部１ｃを備える（図１〜図６参照）。
【００２７】
方向を説明するために、水平方向の一方をｘ方向、ｘ方向に垂直な水平方向（前後方向）をｙ方向、ｘ方向とｙ方向に垂直な鉛直方向をｚ方向として説明する。
【００２８】
第１負荷試験部１ａは、試験対象電源（三相交流発電機）の３相のうちの１つ（本実施形態では、Ｔ相）の負荷試験を行うために使用されるもので、第１抵抗ユニット３０ａ、第１冷却部５０ａ（第１冷却ファン５３ａ、操作部５５、電源端子部５６、制御端子部５７、電力供給制御部５８）、第１排気部７０ａを有する。
【００２９】
第１抵抗ユニット３０ａ、第１冷却部５０ａ、第１排気部７０ａのそれぞれの下部には、キャスター２が設けられる。
【００３０】
第１冷却部５０ａ、第１抵抗ユニット３０ａ、第１排気部７０ａは、ｙ方向に並べられ、着脱可能な状態でネジ止め（不図示）などを使って固定される。
【００３１】
第１抵抗ユニット３０ａの吸気口と、第１冷却部５０ａの排気口とが対向するように、第１冷却部５０ａと第１抵抗ユニット３０ａは、着脱可能な状態で接続される。
【００３２】
第１抵抗ユニット３０ａの排気口と、第１排気部７０ａの吸気口とが対向するように、第１抵抗ユニット３０ａと第１排気部７０ａは、着脱可能な状態で接続される。
【００３３】
第２負荷試験部１ｂは、試験対象電源（三相交流発電機）の３相のうちの１つ（本実施形態では、Ｓ相）の負荷試験を行うために使用されるもので、第１負荷試験部１ａの上に載置され、第２抵抗ユニット３０ｂ、第２冷却部５０ｂ（第２冷却ファン５３ｂ）、第２排気部７０ｂを有する。
【００３４】
第２冷却部５０ｂ、第２抵抗ユニット３０ｂ、第２排気部７０ｂは、ｙ方向に並べられ、着脱可能な状態でネジ止め（不図示）などを使って固定される。
【００３５】
第２抵抗ユニット３０ｂの吸気口と、第２冷却部５０ｂの排気口とが対向するように、第２冷却部５０ｂと第２抵抗ユニット３０ｂは、着脱可能な状態で接続される。
【００３６】
第２抵抗ユニット３０ｂの排気口と、第２排気部７０ｂの吸気口とが対向するように、第２抵抗ユニット３０ｂと第２排気部７０ｂは、着脱可能な状態で接続される。
【００３７】
第３負荷試験部１ｃは、試験対象電源（三相交流発電機）の３相のうちの１つ（本実施形態では、Ｒ相）の負荷試験を行うために使用されるもので、第２負荷試験部１ｂの上に載置され、第３抵抗ユニット３０ｃ、第３冷却部５０ｃ（第３冷却ファン５３ｃ）、第３排気部７０ｃを有する。
【００３８】
第３冷却部５０ｃ、第３抵抗ユニット３０ｃ、第３排気部７０ｃは、ｙ方向に並べられ、着脱可能な状態でネジ止め（不図示）などを使って固定される。
【００３９】
第３抵抗ユニット３０ｃの吸気口と、第３冷却部５０ｃの排気口とが対向するように、第３冷却部５０ｃと第３抵抗ユニット３０ｃは、着脱可能な状態で接続される。
【００４０】
第３抵抗ユニット３０ｃの排気口と、第３排気部７０ｃの吸気口とが対向するように、第３抵抗ユニット３０ｃと第３排気部７０ｃは、着脱可能な状態で接続される。
【００４１】
第１抵抗ユニット３０ａの抵抗器群（第１Ｗ相抵抗器群ＲＷ１〜第３Ｗ相抵抗器群ＲＷ３）、第２抵抗ユニット３０ｂの抵抗器群（第１Ｖ相抵抗器群ＲＶ１〜第３Ｖ相抵抗器群ＲＶ３）、第３抵抗ユニット３０ｃの抵抗器群（第１Ｕ相抵抗器群ＲＵ１〜第３Ｕ相抵抗器群ＲＵ３）に関する電気的な接続は、第１冷却部５０ａの電源端子部５６からのケーブルや接続バーなどの接続部材３を使って行われる（図２、図３参照）。
【００４２】
第１抵抗ユニット３０ａのスイッチング装置（第１Ｗ相スイッチング装置ＳＷ１〜第３Ｗ相スイッチング装置ＳＷ３）、第２抵抗ユニット３０ｂのスイッチング装置（第１Ｖ相スイッチング装置ＳＶ１〜第３Ｖ相スイッチング装置ＳＶ３）、第３抵抗ユニット３０ｃのスイッチング装置（第１Ｕ相スイッチング装置ＳＵ１〜第３Ｕ相スイッチング装置ＳＵ３）の制御は、第１冷却部５０ａの制御端子部５７からのケーブル（制御線４）を使って行われる。
【００４３】
制御線４は、第１冷却部５０ａから各抵抗ユニット（第１抵抗ユニット３０ａ〜第３抵抗ユニット３０ｃ）に設けられたスイッチング装置（ＳＵ１〜ＳＵ３、ＳＶ１〜ＳＶ３、ＳＷ１〜ＳＷ３）のオンオフ制御を行うために使用されるケーブルである（図１、図４〜図６の斜視図では図示を省略）。
【００４４】
第１抵抗ユニット３０ａの構成について説明する。
第１抵抗ユニット３０ａの前面（第１排気部７０ａと対向する面）は排気口として、背面（第１冷却部５０ａと対向する面）は吸気口として開口する。
【００４５】
第１抵抗ユニット３０ａは、ｘ方向に平行な棒状の抵抗器Ｒがｚ方向に所定の間隔を空けて複数本並べられた抵抗器列が、ｙ方向に１段以上並べられたもので、第１冷却部５０ａの電源端子部５６を介して接続された三相交流発電機などの試験対象電源のＴ相の負荷試験を行うために用いられる。
【００４６】
第１抵抗ユニット３０ａに含まれる抵抗器Ｒのうち、直列又は並列に接続された１以上の抵抗器Ｒが抵抗器群を形成し、抵抗器群と他の抵抗器群は並列に接続され、抵抗器群ごとに電力供給のオンオフ制御を行うスイッチング装置が設けられる。
試験対象電源のＴ相からの電圧印加を行う抵抗器群の数を変えながら、負荷試験が行われる。
【００４７】
第１Ｗ相スイッチング装置ＳＷ１〜第３Ｗ相スイッチング装置ＳＷ３は、制御線４を介して、第１冷却部５０ａの制御端子部５７に接続され、第１冷却部５０ａの操作部５５のオンオフ操作に対応して、オンオフ制御が行われる。
【００４８】
第２抵抗ユニット３０ｂの構成について説明する。
第２抵抗ユニット３０ｂの前面（第２排気部７０ｂと対向する面）は排気口として、背面（第２冷却部５０ｂと対向する面）は吸気口として開口する。
【００４９】
第２抵抗ユニット３０ｂは、ｘ方向に平行な棒状の抵抗器Ｒがｚ方向に所定の間隔を空けて複数本並べられた抵抗器列が、ｙ方向に１段以上並べられたもので、第１冷却部５０ａの電源端子部５６を介して接続された三相交流発電機などの試験対象電源のＳ相の負荷試験を行うために用いられる。
【００５０】
第２抵抗ユニット３０ｂに含まれる抵抗器Ｒのうち、直列又は並列に接続された１以上の抵抗器Ｒが抵抗器群を形成し、抵抗器群と他の抵抗器群は並列に接続され、抵抗器群ごとに電力供給のオンオフ制御を行うスイッチング装置が設けられる。
試験対象電源のＳ相からの電圧印加を行う抵抗器群の数を変えながら、負荷試験が行われる。
【００５１】
第１Ｖ相スイッチング装置ＳＶ１〜第３Ｖ相スイッチング装置ＳＶ３は、制御線４を介して、第１冷却部５０ａの制御端子部５７に接続され、第１冷却部５０ａの操作部５５のオンオフ操作に対応して、オンオフ制御が行われる。
【００５２】
第２抵抗ユニット３０ｂは、第１抵抗ユニット３０ａの上に載置される。
第１抵抗ユニット３０ａの筐体の上部に設けられたフランジ３１ａ（第１フランジ）と、第２抵抗ユニット３０ｂの筐体の下部に設けられたフランジ３１ｂ１（第２フランジ）とがねじ止めなどにより固定されることにより、第１抵抗ユニット３０ａと第２抵抗ユニット３０ｂとの固定が行われる。
【００５３】
第３抵抗ユニット３０ｃの構成について説明する。
第３抵抗ユニット３０ｃの前面（第３排気部７０ｃと対向する面）は排気口として、背面（第３冷却部５０ｃと対向する面）は吸気口として開口する。
【００５４】
第３抵抗ユニット３０ｃは、ｘ方向に平行な棒状の抵抗器Ｒがｚ方向に所定の間隔を空けて複数本並べられた抵抗器列が、ｙ方向に１段以上並べられたもので、第１冷却部５０ａの電源端子部５６を介して接続された三相交流発電機などの試験対象電源のＲ相の負荷試験を行うために用いられる。
【００５５】
第３抵抗ユニット３０ｃに含まれる抵抗器Ｒのうち、直列又は並列に接続された１以上の抵抗器Ｒが抵抗器群を形成し、抵抗器群と他の抵抗器群は並列に接続され、抵抗器群ごとに電力供給のオンオフ制御を行うスイッチング装置が設けられる。
試験対象電源のＲ相からの電圧印加を行う抵抗器群の数を変えながら、負荷試験が行われる。
【００５６】
第１Ｕ相スイッチング装置ＳＵ１〜第３Ｕ相スイッチング装置ＳＵ３は、制御線４を介して、第１冷却部５０ａの制御端子部５７に接続され、第１冷却部５０ａの操作部５５のオンオフ操作に対応して、オンオフ制御が行われる。
【００５７】
第３抵抗ユニット３０ｃは、第２抵抗ユニット３０ｂの上に載置される。
第２抵抗ユニット３０ｂの筐体の上部に設けられたフランジ３１ｂ２（第３フランジ）と、第３抵抗ユニット３０ｃの筐体の下部に設けられたフランジ３１ｃ（第４フランジ）とがねじ止めなどにより固定されることにより、第２抵抗ユニット３０ｂと第３抵抗ユニット３０ｃとの固定が行われる。
【００５８】
中性点接続のために、第１Ｕ相抵抗器群ＲＵ１と第１Ｖ相抵抗器群ＲＶ１と第１Ｗ相抵抗器群ＲＷ１とは短絡され、第２Ｕ相抵抗器群ＲＵ２と第２Ｖ相抵抗器群ＲＶ２と第２Ｗ相抵抗器群ＲＷ２とは短絡され、第３Ｕ相抵抗器群ＲＵ３と第３Ｖ相抵抗器群ＲＶ３と第３Ｗ相抵抗器群ＲＷ３とは短絡される。
【００５９】
本実施形態では、例として、第１抵抗ユニット３０ａ〜第３抵抗ユニット３０ｃのそれぞれが、３つの抵抗器群（ＲＷ１〜ＲＷ３、ＲＶ１〜ＲＶ３、ＲＵ１〜ＲＵ３）と、各抵抗器群への電力供給のオンオフ制御を行うスイッチング装置（ＳＷ１〜ＳＷ３、ＳＶ１〜ＳＶ３、ＳＵ１〜ＳＵ３）を有する形態を説明するが、抵抗器群の数は３つに限られるものではない。
【００６０】
また、抵抗器列は、ｚ方向に平行な棒状の抵抗器Ｒが、ｘ方向に所定の間隔を空けて複数本並べられる形態であってもよい。
【００６１】
第１冷却部５０ａの構成について説明する。
第１冷却部５０ａは、第１冷却ファン５３ａ、操作部５５、電源端子部５６、制御端子部５７、電力供給制御部５８を有する。
【００６２】
第１冷却部５０ａの前面（第１抵抗ユニット３０ａと対向する面）は排気口として、背面は吸気口として開口する。
【００６３】
第１抵抗ユニット３０ａ〜第３抵抗ユニット３０ｃのスイッチング装置（ＳＷ１〜ＳＷ３、ＳＶ１〜ＳＶ３、ＳＵ１〜ＳＵ３）や、第１冷却ファン５３ａ〜第３冷却ファン５３ｃや、電力供給制御部５８は、試験対象電源とは別の電源（負荷試験装置駆動用電源）で駆動される（図２参照）。
【００６４】
第１冷却ファン５３ａは、水平方向に風を排出するもので、吸気口から導入された空気を、排気口を介して、第１抵抗ユニット３０ａに送り出す。
【００６５】
操作部５５は、モードスイッチＭＳ、ファンスイッチＦＳ、第１操作スイッチＳ１〜第３操作スイッチＳ３を有する（不図示）。
【００６６】
モードスイッチＭＳは、回転式、若しくはスライド式（若しくはトグル式若しくは押しボタン式）の操作スイッチで、負荷試験装置１のオンオフを選択するために使用されるが、さらに試験対象の電源の種類などを選択する（モード切替する）ためにも使用される形態であってもよい。
【００６７】
負荷試験を行う場合には、モードスイッチＭＳをオンの操作位置に合わせる。負荷試験装置１をオフにする場合は、モードスイッチＭＳをオフの操作位置に合わせる。
【００６８】
ファンスイッチＦＳは、スライド式（若しくはトグル式若しくは押しボタン式）の操作スイッチで、モードスイッチＭＳがオン状態で、第１冷却ファン５３ａ〜第３冷却ファン５３ｃのオンオフ制御を行うためのスイッチである。ファンスイッチＦＳを省略し、モードスイッチＭＳをオンの操作位置に合わせた時に、第１冷却ファン５３ａ〜第３冷却ファン５３ｃが動作する形態であってもよい。
【００６９】
第１操作スイッチＳ１〜第３操作スイッチＳ３は、スライド式（若しくはトグル式若しくは押しボタン式）の操作スイッチで、第１抵抗ユニット３０ａの抵抗器群（第１Ｗ相抵抗器群ＲＷ１〜第３Ｗ相抵抗器群ＲＷ３）のスイッチング装置（第１Ｗ相スイッチング装置ＳＷ１〜第３Ｗ相スイッチング装置ＳＷ３）、第２抵抗ユニット３０ｂの抵抗器群（第１Ｖ相抵抗器群ＲＶ１〜第３Ｖ相抵抗器群ＲＶ３）のスイッチング装置（第１Ｖ相スイッチング装置ＳＶ１〜第３Ｖ相スイッチング装置ＳＶ３）、第３抵抗ユニット３０ｃの抵抗器群（第１Ｕ相抵抗器群ＲＵ１〜第３Ｕ相抵抗器群ＲＵ３）のスイッチング装置（第１Ｕ相スイッチング装置ＳＵ１〜第３Ｕ相スイッチング装置ＳＵ３）のオンオフ制御を行うためのスイッチである。
【００７０】
モードスイッチＭＳがオン状態で、第１操作スイッチＳ１をオン状態にすると、第１Ｗ相スイッチング装置ＳＷ１、第１Ｖ相スイッチング装置ＳＶ１、第１Ｕ相スイッチング装置ＳＵ１がオン状態（導通状態）にされて、第１Ｗ相抵抗器群ＲＷ１に、Ｗ相端子ＷＴを介して負荷試験装置１に接続された試験対象電源のＴ相からの電流が流れうる状態にされ、第１Ｖ相抵抗器群ＲＶ１に、Ｖ相端子ＶＴを介して負荷試験装置１に接続された試験対象電源のＳ相からの電流が流れうる状態にされ、第１Ｕ相抵抗器群ＲＵ１に、Ｕ相端子ＵＴを介して負荷試験装置１に接続された試験対象電源のＲ相からの電流が流れうる状態にされる。
【００７１】
第２操作スイッチＳ２〜第３操作スイッチＳ３も、同様で、モードスイッチＭＳがオン状態で、オン状態にすると、対応する抵抗器群のスイッチング装置がオン状態（導通状態）にされて、当該抵抗器群に、Ｗ相端子ＷＴとＶ相端子ＶＴとＵ相端子ＵＴを介して負荷試験装置１に接続された試験対象電源からの電流が流れうる状態にされる。
【００７２】
モードスイッチＭＳをオンの操作位置に合わせ、ファンスイッチＦＳをオンの操作位置に合わせた場合に、第１冷却ファン５３ａ〜第３冷却ファン５３ｃは駆動され、第１操作スイッチＳ１〜第３操作スイッチＳ３の操作状態に基づき第１抵抗ユニット３０ａ〜第３抵抗ユニット３０ｃの抵抗器群それぞれのスイッチング装置のオンオフ制御が行われる。
【００７３】
電源端子部５６は、試験対象の電源を接続するための端子で、三相交流発電機と接続するために使用されるＵ相端子ＵＴ、Ｖ相端子ＶＴ、Ｗ相端子ＷＴを有する。
【００７４】
三相交流発電機の負荷試験の場合に、三相交流発電機のＲ相、Ｓ相、Ｔ相からのケーブルが、それぞれＵ相端子ＵＴ、Ｖ相端子ＶＴ、Ｗ相端子ＷＴに接続される。
【００７５】
制御端子部５７は、第１抵抗ユニット３０ａ〜第３抵抗ユニット３０ｃとの制御線４を接続させる端子を有する。
【００７６】
制御端子部５７が、制御線４を介して、第１抵抗ユニット３０ａ〜第３抵抗ユニット３０ｃと接続された場合に、第１操作スイッチＳ１〜第３操作スイッチＳ３のオンオフ状態に応じて、第１Ｗ相スイッチング装置ＳＷ１〜第３Ｗ相スイッチング装置ＳＷ３、第１Ｖ相スイッチング装置ＳＶ１〜第３Ｖ相スイッチング装置ＳＶ３、第１Ｕ相スイッチング装置ＳＵ１〜第３Ｕ相スイッチング装置ＳＵ３のオンオフ制御が行われる。
【００７７】
たとえば、モードスイッチＭＳやファンスイッチＦＳをオンの操作位置に合わせ、第２操作スイッチＳ２がオン状態にされ、第１操作スイッチＳ１、第３操作スイッチＳ３がオフ状態にされた場合には、第２Ｗ相スイッチング装置ＳＷ２、第２Ｖ相スイッチング装置ＳＶ２、第２Ｕ相スイッチング装置ＳＵ２がオン状態にされ、他のスイッチング装置はオフ状態にされる。
【００７８】
このときに、三相交流発電機のＲ相、Ｓ相、Ｔ相からのケーブルを、それぞれＵ相端子ＵＴ、Ｖ相端子ＶＴ、Ｗ相端子ＷＴに接続していると、三相交流発電機のＲ相からの電流が、第２Ｕ相抵抗器群ＲＵ２の抵抗器Ｒに流れうる状態にされ、三相交流発電機のＳ相からの電流が、第２Ｖ相抵抗器群ＲＶ２の抵抗器Ｒに流れうる状態にされ、三相交流発電機のＴ相からの電流が、第２Ｗ相抵抗器群ＲＷ２の抵抗器Ｒに流れうる状態にされる。
【００７９】
電力供給制御部５８は、真空遮断機など、モードスイッチＭＳやファンスイッチＦＳのオンオフ状態に応じて、試験対象電源から第１抵抗ユニット３０ａ〜第３抵抗ユニット３０ｃへの電力供給を制御する（モードスイッチＭＳとファンスイッチＦＳの少なくとも一方がオフのときに、電力供給を遮断する）装置である。
【００８０】
具体的には、電力供給制御部５８は、Ｕ相端子ＵＴから、第１Ｕ相抵抗器群ＲＵ１〜第３Ｕ相抵抗器群ＲＵ３の抵抗器Ｒに伸びる線、Ｖ相端子ＶＴから、第１Ｖ相抵抗器群ＲＶ１〜第３Ｖ相抵抗器群ＲＶ３の抵抗器Ｒに伸びる線、Ｗ相端子ＷＴから、第１Ｗ相抵抗器群ＲＷ１〜第３Ｗ相抵抗器群ＲＷ３の抵抗器Ｒに伸びる線に配置され、リレー（不図示）を介して、モードスイッチＭＳとファンスイッチＦＳの少なくとも一方がオフ状態にされている場合に、これらの３線を遮断する。
【００８１】
第２冷却部５０ｂの構成について説明する。
第２冷却部５０ｂは、第２冷却ファン５３ｂを有する。
【００８２】
第２冷却部５０ｂの前面（第２抵抗ユニット３０ｂと対向する面）は排気口として、背面は吸気口として開口する。
【００８３】
第２冷却ファン５３ｂは、水平方向に風を排出するもので、吸気口から導入された空気を、排気口を介して、第２抵抗ユニット３０ｂに送り出す。
【００８４】
第２冷却部５０ｂは、第１冷却部５０ａの上に載置される。
第１冷却部５０ａの筐体の上部に設けられたフランジ５１ａ（第１フランジ）と、第２冷却部５０ｂの筐体の下部に設けられたフランジ５１ｂ１（第２フランジ）とがねじ止めなどにより固定されることにより、第１冷却部５０ａと第２冷却部５０ｂとの固定が行われる。
【００８５】
第３冷却部５０ｃの構成について説明する。
第３冷却部５０ｃは、第３冷却ファン５３ｃを有する。
【００８６】
第３冷却部５０ｃの前面（第３抵抗ユニット３０ｃと対向する面）は排気口として、背面は吸気口として開口する。
【００８７】
第３冷却ファン５３ｃは、水平方向に風を排出するもので、吸気口から導入された空気を、排気口を介して、第３抵抗ユニット３０ｃに送り出す。
【００８８】
第３冷却部５０ｃは、第２冷却部５０ｂの上に載置される。
第２冷却部５０ｂの筐体の上部に設けられたフランジ５１ｂ２（第３フランジ）と、第３冷却部５０ｃの筐体の下部に設けられたフランジ５１ｃ（第４フランジ）とがねじ止めなどにより固定されることにより、第２冷却部５０ｂと第３冷却部５０ｃとの固定が行われる。
【００８９】
第１排気部７０ａの構成について説明する。
第１排気部７０ａは、第１抵抗ユニット３０ａからの熱風の方向を水平方向から上方向に変えるダクトを有する。第１排気部７０ａの上部の一部は排気口（第１排気部７０ａの上部開口７３ａ）として、背面（第１抵抗ユニット３０ａと対向する面）は吸気口として開口し、第１排気部７０ａはエルボ型のダクトを構成する。
【００９０】
第２排気部７０ｂの構成について説明する。
第２排気部７０ｂは、第２抵抗ユニット３０ｂからの熱風の方向を水平方向から上方向に変えるダクトを有する。第２排気部７０ｂの上部の一部は排気口（第２排気部７０ｂの上部開口７３ｂ２）として、背面（第２抵抗ユニット３０ｂと対向する面）は吸気口として開口する。
【００９１】
第２排気部７０ｂは、第１排気部７０ａの上に載置される。
第１排気部７０ａの筐体の上部に設けられたフランジ７１ａ（第１フランジ）と、第２排気部７０ｂの筐体の下部に設けられたフランジ７１ｂ１（第２フランジ）とがねじ止めなどにより固定されることにより、第１排気部７０ａと第２排気部７０ｂとの固定が行われる。
【００９２】
また、第１排気部７０ａからの熱気を上方に誘導するために、第２排気部７０ｂの下部であって、第１排気部７０ａの上部開口７３ａと対向する領域も開口し、第２排気部７０ｂは分岐管型のダクトを構成する（第２排気部７０ｂの下部開口７３ｂ１）。
第１排気部７０ａからの熱気をスムーズに上方に誘導するため、第１排気部７０ａの上部開口７３ａの真上に第２排気部７０ｂの下部開口７３ｂ１が配置されるように、第１排気部７０ａと第２排気部７０ｂの位置関係が決定されるのが望ましい。
【００９３】
第３排気部７０ｃの構成について説明する。
第３排気部７０ｃは、第３抵抗ユニット３０ｃからの熱風の方向を水平方向から上方向に変えるダクトを有する。第３排気部７０ｃの上部の一部は排気口（第３排気部７０ｃの上部開口７３ｃ２）として、背面（第３抵抗ユニット３０ｃと対向する面）は吸気口として開口する。
【００９４】
第３排気部７０ｃは、第２排気部７０ｂの上に載置される。
第２排気部７０ｂの筐体の上部に設けられたフランジ７１ｂ２（第３フランジ）と、第３排気部７０ｃの筐体の下部に設けられたフランジ７１ｃ（第４フランジ）とがねじ止めなどにより固定されることにより、第２排気部７０ｂと第３排気部７０ｃとの固定が行われる。
【００９５】
また、第１排気部７０ａや第２排気部７０ｂからの熱気を上方に誘導するために、第３排気部７０ｃの下部であって、第２排気部７０ｂの上部開口７３ｂ２と対向する領域も開口し、第３排気部７０ｃは分岐管型のダクトを構成する（第３排気部７０ｃの下部開口７３ｃ１）。
第１排気部７０ａや第２排気部７０ｂからの熱気をスムーズに上方に誘導するため、第２排気部７０ｂの上部開口７３ｂ２の真上に第３排気部７０ｃの下部開口７３ｃ１が配置されるように、第２排気部７０ｂと第３排気部７０ｃの位置関係が決定されるのが望ましい。
【００９６】
負荷試験装置１の組み立ては、第１抵抗ユニット３０ａ〜第３抵抗ユニット３０ｃの積み重ね、第１冷却部５０ａ〜第３冷却部５０ｃの積み重ね、第１排気部７０ａ〜第３排気部７０ｃの積み重ねを行った後に、第１冷却部５０ａと第１抵抗ユニット３０ａ、第１抵抗ユニット３０ａと第１排気部７０ａをｙ方向に並べて接続させる形態が考えられる（図１、図４〜図６参照）。
【００９７】
また、第１冷却部５０ａと第１抵抗ユニット３０ａ、第１抵抗ユニット３０ａと第１排気部７０ａをｙ方向に並べて接続させて、第１負荷試験部１ａを組み立てた後に、第１負荷試験部１ａの上に、第２冷却部５０ｂ、第２抵抗ユニット３０ｂ、第２排気部７０ｂを載置し、更にその上に、第３冷却部５０ｃ、第３抵抗ユニット３０ｃ、第３排気部７０ｃを載置して、負荷試験装置１を組み立てる形態であってもよい。
【００９８】
本実施形態では、第１負荷試験部１ａ（下段の負荷試験部）の上に、第２負荷試験部１ｂ（中段の負荷試験部）を積み重ね、さらに第２負荷試験部１ｂ（中段の負荷試験部）の上に、第３負荷試験部１ｃ（上段の負荷試験部）を積み重ねするため、第１負荷試験部１ａ〜第３負荷試験部１ｃを横方向（ｘ方向）に並べた形態に比べて、負荷試験装置１の設置の自由度を高めることが可能になる。
【００９９】
特に、建物の屋上など、設置スペースが限られる場合でも、積み重ねすることにより、大容量の負荷試験装置を設置し、負荷試験を行うことが可能になる。
【０１００】
また、第１負荷試験部１ａ〜第３負荷試験部１ｃは、それぞれの抵抗ユニット（第１抵抗ユニット３０ａ〜第３抵抗ユニット３０ｃ）を冷却するための冷却ファン（第１冷却ファン５３ａ〜第３冷却ファン５３ｃ）を有するため、１つの冷却ファンの上方に３つの抵抗ユニットを配置し、当該１つの冷却ファンで当該３つの抵抗ユニットを冷却する形態に比べて、小型で汎用性が高い冷却ファンを用いることが可能になるし、同じ冷却条件で、Ｒ相、Ｓ相、Ｔ相の負荷試験を行うことが可能になる。
【０１０１】
また、フランジ（第１フランジ〜第４フランジ）を使って上下の筐体の固定を行うため、簡単且つ確実に積み重ねした負荷試験部同士を固定することが可能になる。
【０１０２】
また、上方向（ｚ方向）に積み重ねた第１排気部７０ａ〜第３排気部７０ｃにより、第１抵抗ユニット３０ａ〜第３抵抗ユニット３０ｃから水平方向に排出される熱気を上方向に排出することが出来るため、熱気が負荷試験装置１の周囲の者に直接当たる危険性を少なくすることが可能になる。
【０１０３】
また、操作部５５、電源端子部５６、制御端子部５７、電力供給制御部５８は、下段の負荷試験部の冷却部（第１冷却部５０ａ）に設けられるので、それぞれの負荷試験部に操作部５５などが配置される形態に比べて操作や配線が容易に出来るし、負荷試験を行う作業者の手に届く高さの位置に操作部５５や電源端子部５６を設けることが可能になるし、下段の負荷試験部を中段や上段の負荷試験部よりも重くして重心を低くすることが可能になる。
【０１０４】
なお、操作部５５、電源端子部５６、制御端子部５７、電力供給制御部５８は、下段の負荷試験部の抵抗ユニット（第１抵抗ユニット３０ａ）若しくは排気部（第１排気部７０ａ）に設けられる形態であってもよい。
【０１０５】
また、本実施形態では、３つの負荷試験部がそれぞれＲ相用、Ｓ相用、Ｔ相用の負荷試験を行うためのものであるとして説明したが、これに限るものではなく、たとえば、第１負荷試験部１ａの中に、Ｒ相用の抵抗器群と、Ｓ相用の抵抗器群と、Ｔ相用の抵抗器群が混在する形態であってもよい。
【０１０６】
また、本発明にかかる負荷試験装置１は、試験対象電源が三相交流発電機である形態を説明したが、これに限るものではなく、単相交流発電機であったり、直流発電機であったりしても、２以上の負荷試験部を鉛直方向に積み重ねる本件発明の効果を得ることが出来る。
【０１０７】
また、本実施形態では、第１抵抗ユニット３０ａ〜第３抵抗ユニット３０ｃ、第１冷却部５０ａ〜第３冷却部５０ｃ、第１排気部７０ａ〜第３排気部７０ｃの筐体が別体構成である形態を説明した。この場合、それぞれを組み立てない状態で持ち運び、負荷試験を行う場所で組み立てを行うことが可能であり、移動を容易に出来る。
ただし、第１抵抗ユニット３０ａ〜第３抵抗ユニット３０ｃの筐体を一体で構成し、第１冷却部５０ａ〜第３冷却部５０ｃの筐体を一体で構成し、第１排気部７０ａ〜第３排気部７０ｃの筐体を一体で構成する形態であってもよい。
また、第１負荷試験部１ａの筐体を一体で構成し、第２負荷試験部１ｂの筐体を一体で構成し、第３負荷試験部１ｃの筐体を一体で構成する形態であってもよいし、負荷試験装置１の筐体を一体で構成する形態であってもよい。
【０１０８】
また、本実施形態では、下段の負荷試験部（第１負荷試験部１ａ）の下部にだけキャスター２が設けられる形態を説明したが、中段の負荷試験部（第２負荷試験部１ｂ）や上段の負荷試験部（第３負荷試験部１ｃ）の下部にもキャスター２を設ける形態であってもよい（図７参照）。
この場合には、積み重ね時にキャスター２を収納する凹みが、下段の負荷試験部（第１負荷試験部１ａ）や中段の負荷試験部（第２負荷試験部１ｂ）の上部に設けられる。
具体的には、第１抵抗ユニット３０ａの筐体の上部、第２抵抗ユニット３０ｂの筐体の上部、第１冷却部５０ａの筐体の上部、第２冷却部５０ｂの筐体の上部、第１排気部７０ａの筐体の上部、第２排気部７０ｂの筐体の上部に、キャスター２を収納する凹み（３２ａ、３２ｂ、５２ａ、５２ｂ、７２ａ、７２ｂ）が設けられる。
それぞれの筐体にキャスター２を設けることにより、持ち運びを容易にすることが出来る。また、凹みにキャスター２を収納出来るので、積み重ね時の上下の筐体の固定の妨げにならない。
【０１０９】
また、本実施形態では、第２排気部７０ｂや第３排気部７０ｃが分岐管型のダクトを構成し、第２排気部７０ｂの下部開口７３ｂ１が、第１排気部７０ａの上部開口７３ａと接続し、第２排気部７０ｂの上部開口７３ｂ２が、第３排気部７０ｃの下部開口７３ｃ１と接続して、排気通路を共用する形態を説明したが、それぞれの排気通路を独立させ、排気を確実に行わせるなど負荷試験の条件を合わせるため、第２排気部７０ｂや第３排気部７０ｃも、第１排気部７０ａと同様にエルボ型のダクトを構成し、別々の排気通路を形成する形態であってもよい（図８、図９参照）。
【０１１０】
この場合、下段の排気部の排気を上方に誘導するために、上段の排気部に誘導路を設けるのが望ましい（図１０、図１１）。
具体的には、第２排気部７０ｂには、エルボ型のダクトとｙ方向で隣接するように、第１排気部７０ａの上部開口７３ａからの排気を上方に誘導する第１誘導路７４ｂが設けられる。
第３排気部７０ｃには、エルボ型のダクトとｙ方向で隣接するように、第２排気部７０ｂの上部開口７３ｂ２からの排気を上方に誘導する第２誘導路７４ｃ１が設けられ、さらに第２誘導路７４ｃ１とｙ方向で隣接するように、第１排気部７０ａの上部開口７３ａからの排気を第１誘導路７４ｂを介して上方に誘導する第３誘導路７４ｃ２が設けられる。
【０１１１】
また、本実施形態では、第１抵抗ユニット３０ａ〜第３抵抗ユニット３０ｃの筐体に抵抗器Ｒが取り付けられる形態であってもよいが、絶縁性を高めるために、筐体の内側に抵抗器Ｒを保持する部材（ｙ方向が開口する略中空四角柱形状の枠、第１抵抗保持部３２ａ〜第３抵抗保持部３２ｃ）を設け、碍子（第１碍子３３ａ〜第３碍子３３ｃ）を介して第１抵抗保持部３２ａ〜第３抵抗保持部３２ｃが第１抵抗ユニット３０ａ〜第３抵抗ユニット３０ｃの筐体に取り付けられる形態であってもよい（図８、図９参照）。
【０１１２】
また、第１冷却ファン５３ａ〜第３冷却ファン５３ｃからの冷却風を第１抵抗ユニット３０ａ〜第３抵抗ユニット３０ｃの抵抗器Ｒに誘導するフード（第１フード５４ａ〜第３フード５４ｃ）を、冷却ファンと抵抗ユニットの間に設ける形態であってもよい。
特に、抵抗保持部が設けられる場合には、冷却風の誘導のために、フードの先端が抵抗保持部の内側に配置されるのが望ましい。
図９は、抵抗保持部とフードの位置関係を示すために、本来は見えない位置にある第３抵抗保持部３２ｃと第３フード５４ｃを点線で示す。
【符号の説明】
【０１１３】
１  負荷試験装置
１ａ〜１ｃ  第１負荷試験部〜第３負荷試験部
２  キャスター
３  接続部材
４  制御線
３０ａ〜３０ｃ  第１抵抗ユニット〜第３抵抗ユニット
３１ａ  第１抵抗ユニットの筐体の上部に設けられたフランジ（第１フランジ）
３１ｂ１  第２抵抗ユニットの筐体の下部に設けられたフランジ（第２フランジ）
３１ｂ２  第２抵抗ユニットの筐体の上部に設けられたフランジ（第３フランジ）
３１ｃ  第３抵抗ユニットの筐体の下部に設けられたフランジ（第４フランジ）
３２ａ〜３２ｃ  第１抵抗保持部〜第３抵抗保持部
３３ａ〜３３ｃ  第１碍子〜第３碍子
５０ａ〜５０ｃ  第１冷却部〜第３冷却部
５１ａ  第１冷却部の筐体の上部に設けられたフランジ（第１フランジ）
５１ｂ１  第２冷却部の筐体の下部に設けられたフランジ（第２フランジ）
５１ｂ２  第２冷却部の筐体の上部に設けられたフランジ（第３フランジ）
５１ｃ  第３冷却部の筐体の下部に設けられたフランジ（第４フランジ）
５３ａ〜５３ｃ  第１冷却ファン〜第３冷却ファン
５４ａ〜５４ｃ  第１フード〜第３フード
５５  操作部
５６  電源端子部
５７  制御端子部
５８  電力供給制御部
７０ａ〜７０ｃ  第１排気部〜第３排気部
７１ａ  第１排気部の筐体の上部に設けられたフランジ（第１フランジ）
７１ｂ１  第２排気部の筐体の下部に設けられたフランジ（第２フランジ）
７１ｂ２  第２排気部の筐体の上部に設けられたフランジ（第３フランジ）
７１ｃ  第３排気部の筐体の下部に設けられたフランジ（第４フランジ）
７３ａ  第１排気部の上部開口
７３ｂ１  第２排気部の下部開口
７３ｂ２  第２排気部の上部開口
７３ｃ  第３排気部の下部開口
７４ｂ  第１誘導路
７４ｃ１  第２誘導路
７４ｃ２  第３誘導路
ＦＳ  ファンスイッチ
ＭＳ  モードスイッチ
ＲＵ１〜ＲＵ３  第１Ｕ相抵抗器群〜第３Ｕ相抵抗器群
ＲＶ１〜ＲＶ３  第１Ｖ相抵抗器群〜第３Ｖ相抵抗器群
ＲＷ１〜ＲＷ３  第１Ｗ相抵抗器群〜第３Ｗ相抵抗器群
Ｓ１〜Ｓ３  第１操作スイッチ〜第３操作スイッチ
ＳＵ１〜ＳＵ３  第１Ｕ相スイッチング装置〜第３Ｕ相スイッチング装置
ＳＶ１〜ＳＶ３  第１Ｖ相スイッチング装置〜第３Ｖ相スイッチング装置
ＳＷ１〜ＳＷ３  第１Ｗ相スイッチング装置〜第３Ｗ相スイッチング装置
ＵＴ  Ｕ相端子
ＶＴ  Ｖ相端子
ＷＴ  Ｗ相端子
【図１】
2018054636.tif 000003
【図２】
2018054636.tif 000004
【図３】
2018054636.tif 000005
【図４】
2018054636.tif 000006
【図５】
2018054636.tif 000007
【図６】
2018054636.tif 000008
【図７】
2018054636.tif 000009
【図８】
2018054636.tif 000010
【図９】
2018054636.tif 000011
【図１０】
2018054636.tif 000012
【図１１】
2018054636.tif 000013
【手続補正書】
【提出日】平成30年1月15日(2018.1.15)
【手続補正１】
【補正対象書類名】明細書
【補正対象項目名】０００６
【補正方法】変更
【補正の内容】
【０００６】
本発明に係る負荷試験装置は、水平方向に風を排出する第１冷却ファンを含む第１冷却部と、第１冷却ファンと対向し水平方向に開口する吸気口と水平方向に開口する排気口と負荷試験時に試験対象電源からの電力が供給される抵抗器を有する第１抵抗ユニットとを有する第１負荷試験部と、水平方向に風を排出する第２冷却ファンを含む第２冷却部と、第２冷却ファンと対向し水平方向に開口する吸気口と水平方向に開口する排気口と負荷試験時に試験対象電源からの電力が供給される抵抗器を有する第２抵抗ユニットとを有する第２負荷試験部とを備え、第１負荷試験部と第２負荷試験部は、上下方向に配置され、絶縁性を高めるために、第１抵抗ユニットの抵抗器の端子が第１抵抗ユニットの筐体から飛び出ないような状態で、第１抵抗ユニットの抵抗器が保持され、第１抵抗ユニットの抵抗器を保持する保持部は、碍子を介して、第１抵抗ユニットの筐体に取り付けられる。
【手続補正２】
【補正対象書類名】明細書
【補正対象項目名】０００７
【補正方法】変更
【補正の内容】
【０００７】
好ましくは、水平方向に風を排出する第３冷却ファンを含む第３冷却部と、第３冷却ファンと対向し水平方向に開口する吸気口と水平方向に開口する排気口と負荷試験時に試験対象電源からの電力が供給される抵抗器を有する第３抵抗ユニットとを有する第３負荷試験部を更に備え、第１負荷試験部と第２負荷試験部と第３負荷試験部は、上下方向に配置されるものであり、試験対象電源は、三相交流発電機であり、第１抵抗ユニットは、三相交流発電機のＴ相の負荷試験を行うために使用され、第２抵抗ユニットは、三相交流発電機のＳ相の負荷試験を行うために使用され、第３抵抗ユニットは、三相交流発電機のＲ相の負荷試験を行うために使用される。
【手続補正３】
【補正対象書類名】明細書
【補正対象項目名】０００８
【補正方法】変更
【補正の内容】
【０００８】
さらに好ましくは、第１負荷試験部と第２負荷試験部と第３負荷試験部は、別体構造であり、第１負荷試験部と第２負荷試験部と第３負荷試験部のうち、下段に配置されるものの筐体の上部には第１フランジが設けられ、第１負荷試験部と第２負荷試験部と第３負荷試験部のうち、中段に配置されるものの筐体の下部には第２フランジが上部には第３フランジが設けられ、第１負荷試験部と第２負荷試験部と第３負荷試験部のうち、上段に配置されるものの筐体の下部には第４フランジが設けられ、第１フランジと第２フランジとが固定され、第３フランジと第４フランジが固定されることにより、第１負荷試験部と第２負荷試験部と第３負荷試験部が固定され、第１冷却部と、第２冷却部と、第３冷却部と、第１抵抗ユニットと、第２抵抗ユニットと、第３抵抗ユニットとの下部には、キャスターが設けられ、第１冷却部と第２冷却部と第３冷却部のうち、下段に配置されるものの筐体の上部には、中段に配置されるもののキャスターを収納する凹みが設けられ、第１抵抗ユニットと第２抵抗ユニットと第３抵抗ユニットのうち、下段に配置されるものの筐体の上部には、中段に配置されるもののキャスターを収納する凹みが設けられ、第１冷却部と第２冷却部と第３冷却部のうち、中段に配置されるものの筐体の上部には、上段に配置されるもののキャスターを収納する凹みが設けられ、第１抵抗ユニットと第２抵抗ユニットと第３抵抗ユニットのうち、中段に配置されるものの筐体の上部には、状態に配置されるもののキャスターを収納する凹みが設けられる。
【手続補正４】
【補正対象書類名】明細書
【補正対象項目名】０００９
【補正方法】変更
【補正の内容】
【０００９】
本発明に係る負荷試験装置は、水平方向に風を排出する第１冷却ファンを含む第１冷却部と、第１冷却ファンと対向し水平方向に開口する吸気口と水平方向に開口する排気口と負荷試験時に試験対象電源からの電力が供給される抵抗器を有する第１抵抗ユニットとを有する第１負荷試験部と、水平方向に風を排出する第２冷却ファンを含む第２冷却部と、第２冷却ファンと対向し水平方向に開口する吸気口と水平方向に開口する排気口と負荷試験時に試験対象電源からの電力が供給される抵抗器を有する第２抵抗ユニットとを有する第２負荷試験部と、水平方向に風を排出する第３冷却ファンを含む第３冷却部と、第３冷却ファンと対向し水平方向に開口する吸気口と水平方向に開口する排気口と負荷試験時に試験対象電源からの電力が供給される抵抗器を有する第３抵抗ユニットとを有する第３負荷試験部を備え、第１負荷試験部と第２負荷試験部と第３負荷試験部は、上下方向に積み重ねられるものであり、試験対象電源は、三相交流発電機であり、第１抵抗ユニットは、三相交流発電機のＴ相の負荷試験を行うために使用され、第２抵抗ユニットは、三相交流発電機のＳ相の負荷試験を行うために使用され、第３抵抗ユニットは、三相交流発電機のＲ相の負荷試験を行うために使用され、第１冷却部と第２冷却部と第３冷却部のうち、下段に配置されるものは、試験対象電源のＲ相と接続するＵ相端子と、試験対象電源のＳ相と接続するＶ相端子と、試験対象電源のＴ相と接続するＷ相端子と、負荷試験における負荷量を調整する操作部と、制御線を介して第１抵抗ユニット〜第３抵抗ユニットのスイッチング装置と接続される制御端子部と、試験対象電源から第１抵抗ユニット〜第３抵抗ユニットへの電力供給を制御する電力供給制御部を有し、第１冷却部と第２冷却部と第３冷却部のうち、下段に配置されるものの筐体は、直方体形状を有し、操作部は制御端子部と接続され、制御端子部を介して、操作部におけるスイッチのオンオフ状態に応じて、第１抵抗ユニット〜第３抵抗ユニットのスイッチング装置のオンオフ制御が行われる。
【手続補正５】
【補正対象書類名】明細書
【補正対象項目名】００１０
【補正方法】変更
【補正の内容】
【００１０】
本発明に係る負荷試験装置は、水平方向に風を排出する第１冷却ファンを含む第１冷却部と、第１冷却ファンと対向し水平方向に開口する吸気口と水平方向に開口する排気口と負荷試験時に試験対象電源からの電力が供給される抵抗器を有する第１抵抗ユニットとを有する第１負荷試験部と、水平方向に風を排出する第２冷却ファンを含む第２冷却部と、第２冷却ファンと対向し水平方向に開口する吸気口と水平方向に開口する排気口と負荷試験時に試験対象電源からの電力が供給される抵抗器を有する第２抵抗ユニットとを有する第２負荷試験部と、水平方向に風を排出する第３冷却ファンを含む第３冷却部と、第３冷却ファンと対向し水平方向に開口する吸気口と水平方向に開口する排気口と負荷試験時に試験対象電源からの電力が供給される抵抗器を有する第３抵抗ユニットとを有する第３負荷試験部を備え、第１負荷試験部と第２負荷試験部と第３負荷試験部は、上下方向に積み重ねられるものであり、試験対象電源は、三相交流発電機であり、第１抵抗ユニットは、三相交流発電機のＴ相の負荷試験を行うために使用され、第２抵抗ユニットは、三相交流発電機のＳ相の負荷試験を行うために使用され、第３抵抗ユニットは、三相交流発電機のＲ相の負荷試験を行うために使用され、第１冷却部と、第２冷却部と、第３冷却部と、第１抵抗ユニットと、第２抵抗ユニットと、第３抵抗ユニットと、第１排気部と、第３排気部は別体で構成され、第１冷却部と、第１抵抗ユニットと、第１排気部は、水平方向に並べられ、着脱可能な状態で固定されるものであり、第２冷却部と、第２抵抗ユニットと、第２排気部は、水平方向に並べられ、着脱可能な状態で固定されるものであり、第３冷却部と、第３抵抗ユニットと、第３排気部は、水平方向に並べられ、着脱可能な状態で固定されるものであり、第１冷却部と、第２冷却部と、第３冷却部と、第１抵抗ユニットと、第２抵抗ユニットと、第３抵抗ユニットと、第１排気部における第１抵抗ユニットからの熱気を水平方向に誘導する第１領域と、第２排気部における第２抵抗ユニットからの熱気を水平方向に誘導する第２領域と、第３排気部における第３抵抗ユニットからの熱気を水平方向に誘導する第３領域の下部には、キャスターが設けられ、第１排気部における第１抵抗ユニットからの熱気を上方向に誘導する領域と、第２排気部における第２抵抗ユニットからの熱気を上方向に誘導する領域と、第３排気部における第３抵抗ユニットからの熱気を情報に誘導する領域の下部には、キャスターが設けられず、第１冷却部と第２冷却部と第３冷却部のうち、下段に配置されるものの筐体の上部には、中段に配置されるもののキャスターを収納する凹みが設けられ、第１抵抗ユニットと第２抵抗ユニットと第３抵抗ユニットのうち、下段に配置されるものの筐体の上部には、中段に配置されるもののキャスターを収納する凹みが設けられ、第１領域と第２領域と第３領域のうち、下段に配置されるものの筐体の上部には、中段に配置されるもののキャスターを収納する凹みが設けられ、第１冷却部と第２冷却部と第３冷却部のうち、中段に配置されるものの筐体の上部には、上段に配置されるもののキャスターを収納する凹みが設けられ、第１抵抗ユニットと第２抵抗ユニットと第３抵抗ユニットのうち、中段に配置されるものの筐体の上部には、上段に配置されるもののキャスターを収納する凹みが設けられ、第１領域と第２領域と第３領域のうち、中段に配置されるものの筐体の上部には、上段に配置されるもののキャスターを収納する凹みが設けられる。

【手続補正６】
【補正対象書類名】明細書
【補正対象項目名】００１１
【補正方法】変更
【補正の内容】
【００１１】
また、好ましくは、第１負荷試験部は、水平方向に開口する吸気口と、鉛直方向の開口する排気口とを有し、第１抵抗ユニットからの熱気を上方に排気し、エルボ型のダクトを構成する第１排気部を有し、第２負荷試験部は、水平方向に開口する吸気口と、鉛直方向に開口する排気口とを有し、第２抵抗ユニットからの熱気を上方に排気し、エルボ型のダクトを構成する第２排気部を有し、第３負荷試験部は、水平方向に開口する吸気口と、鉛直方向に開口する排気口とを有し、第３抵抗ユニットからの熱気を上方に排気し、エルボ型のダクトを構成する第３排気部を有する。
【手続補正７】
【補正対象書類名】明細書
【補正対象項目名】００１２
【補正方法】変更
【補正の内容】
【００１２】
さらに好ましくは、第１排気部〜第３排気部のうち、上段の排気部には、下段の排気部からの熱気を上方に誘導する誘導路が設けられる。
【手続補正８】
【補正対象書類名】明細書
【補正対象項目名】００１３
【補正方法】変更
【補正の内容】
【００１３】
また、好ましくは、第１負荷試験部は、水平方向に開口する吸気口と、鉛直方向に開口する排気口とを有し、第１抵抗ユニットからの熱気を上方に排気する第１排気部を有し、第２負荷試験部は、水平方向に開口する吸気口と、鉛直方向に開口する排気口とを有し、第２抵抗ユニットからの熱気を上方に排気する第２排気部を有し、第３負荷試験部は、水平方向に開口する吸気口と、鉛直方向に開口する排気口とを有し、第３抵抗ユニットからの熱気を上方に排気する第３排気部を有し、第１排気部と第２排気部と第３排気部のうち、上段に配置されるものの下部は、中段に配置されるものの排気口と対向する位置が開口し、第１排気部と第２排気部と第３排気部のうち、中段に配置されるものの下部は、下段に配置されるものの排気口と対応する位置が開口する。
【手続補正９】
【補正対象書類名】明細書
【補正対象項目名】００１４
【補正方法】変更
【補正の内容】
【００１４】
本発明に係る負荷試験装置は、水平方向に風を排出する第１冷却ファンを含む第１冷却部と、第１冷却ファンと対向し水平方向に開口する吸気口と水平方向に開口する排気口と負荷試験時に試験対象電源からの電力が供給される抵抗器を有する第１抵抗ユニットとを有する第１負荷試験部と、水平方向に風を排出する第２冷却ファンを含む第２冷却部と、第２冷却ファンと対向し水平方向に開口する吸気口と水平方向に開口する排気口と負荷試験時に試験対象電源からの電力が供給される抵抗器を有する第２抵抗ユニットとを有する第２負荷試験部とを備え、第１負荷試験部と第２負荷試験部は、上下方向に積み重ねられ、第１抵抗ユニットにおける筐体の内側には、絶縁性を高めるために、第１抵抗ユニットの抵抗器の端子を第1抵抗ユニットの筐体が覆う位置関係で、第１抵抗ユニットの抵抗器を保持する第１抵抗保持部が設けられ、第１抵抗保持部は、碍子を介して、第１抵抗ユニットの筐体に取り付けられ、第２抵抗ユニットにおける筐体の内側には、絶縁性を高めるために、第２抵抗ユニットの抵抗器の端子を第２抵抗ユニットの筐体が覆う位置関係で、第２抵抗ユニットの抵抗器を保持する第２抵抗保持部が設けられ、第２抵抗保持部は、碍子を介して、第２抵抗ユニットの筐体に取り付けられ、第１冷却部と、第２冷却部と、第１抵抗ユニットと、第２抵抗ユニットと、第１排気部と、第２排気部は別体で構成され、第１冷却部と、第１抵抗ユニットと、第１排気部は、水平方向に並べられ、着脱可能な状態で固定されるものであり、第２冷却部と、第２抵抗ユニットと、第２排気部は、水平方向に並べられ、着脱可能な状態で固定されるものであり、第１抵抗保持部は、水平方向に開口する中空四角柱形状の枠で構成され、第２抵抗保持部は、水平方向に開口する中空四角柱形状の枠で構成され、第１冷却ファンからの冷却風を第１抵抗ユニットの抵抗器に誘導する第１フードが、第２冷却ファンと第１抵抗ユニットの間に設けられ、第２冷却ファンからの冷却風を第２抵抗ユニットの抵抗器に誘導する第２フードが、第２冷却ファンと第２抵抗ユニットの間に設けられ、第１フードの先端は、第１抵抗保持部を形成する枠の内側に配置され、第２フードの先端は、第２抵抗保持部を形成する枠の内側に配置される。
【手続補正１０】
【補正対象書類名】明細書
【補正対象項目名】００１５
【補正方法】変更
【補正の内容】
【００１５】
また、好ましくは、水平方向に風を排出する第３冷却ファンを含む第３冷却部と、第３冷却ファンと対向し水平方向に開口する吸気口と水平方向に開口する排気口と負荷試験時に試験対象電源からの電力が供給される抵抗器を有する第３抵抗ユニットとを有する第３負荷試験部を更に備え、第２負荷試験部は、第１負荷試験部の上に積み重ねられ、第３負荷試験部は、第２負荷試験部の上に積み重ねられ、第１負荷試験部は、水平方向に開口する吸気口と、鉛直方向の開口する排気口とを有し、第１抵抗ユニットからの熱気を上方に排気する第１排気部を有し、第２負荷試験部は、水平方向に開口する吸気口と、鉛直方向に開口する排気口とを有し、第２抵抗ユニットからの熱気を上方に排気する第２排気部を有し、第３負荷試験部は、水平方向に開口する吸気口と、鉛直方向に開口する排気口とを有し、第３抵抗ユニットからの熱気を上方に排気する第３排気部を有する。
【手続補正１１】
【補正対象書類名】明細書
【補正対象項目名】００１６
【補正方法】変更
【補正の内容】
【００１６】
また、好ましくは、第１負荷試験部は、水平方向に開口する吸気口と、鉛直方向の開口する排気口とを有し、第１抵抗ユニットからの熱気を上方に排気する第１排気部を有し、第２負荷試験部は、水平方向に開口する吸気口と、鉛直方向に開口する排気口とを有し、第２抵抗ユニットからの熱気を上方に排気する第２排気部を有し、第２負荷試験部は、第１負荷試験部の上に積み重ねられ、第２排気部は、第１排気部の上に載置される。
【手続補正１２】
【補正対象書類名】明細書
【補正対象項目名】００１７
【補正方法】変更
【補正の内容】
【００１７】
また、好ましくは、絶縁性を高めるために、第２抵抗ユニットの抵抗器の端子が第２抵抗ユニットの筐体から飛び出ないような状態で、第２抵抗ユニットの抵抗器が保持される。
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】